(57)【要約】【課題】光源遮光部に工夫を凝らし、同一の光源により斬新な見栄えの計器を提供する。【解決手段】目盛盤１０の裏面に設けられた光源の光により盤面発光する盤面発光部１１ｂの周囲に表面側に突出して形成された突出部１２を形成する。更に、突出部１２に、光源の光により透過照明されて目盛部を構成する複数の透過部１２ｃ、１２ｄを設け、これらの複数の透過部１２ｃ、１２ｄ間に、光源２０の光を遮光すると共に、盤面発光部１１ｂの盤面発光により表面側から照明される第１の遮光部１３ａ、１３ｂを形成する。そして、光源２０の光により、盤面発光部１１ｂの盤面発光および目盛部を構成する複数の透過部１２ｃ、１２ｄの透過照明を行い、更に、盤面発光部１１ｂの盤面発光により第１の遮光部１３ａ、１３ｂの照明を行うことで、同一の光源により立体を表現する。【選択図】        図１
2004198241.tif 000002
【特許請求の範囲】
【請求項１】
光源（２０）と、
前記光源（２０）の光により盤面発光する盤面発光部（１１ｂ）と、
前記盤面発光部（１１ｂ）の周囲に表面側に突出して形成された突出部（１２）と、
前記突出部（１２）に設けられ、前記光源（２０）の光により透過照明されて目盛部を構成する複数の透過部（１２ｃ、１２ｄ）と、
前記複数の透過部（１２ｃ、１２ｄ）間に形成され、前記光源（２０）の光を遮光すると共に、前記盤面発光部（１１ｂ）の盤面発光により表面側から照明される第１の遮光部（１３ａ、１３ｂ）と、を備えたことを特徴とする計器。
【請求項２】
前記突出部（１２）の前記複数の透過部（１２ｃ、１２ｄ）の盤面発光部（１１ｂ）側に前記光源（２０）の光を遮光する第２の遮光部（１３ｃ）を有することを特徴とする請求項１に記載の計器。
【請求項３】
前記第１の遮光部（１３ａ、１３ｂ）および前記第２の遮光部（１３ｃ）は、金属色塗料の塗装により形成されていること特徴とする請求項２に記載の計器。
【発明の詳細な説明】
【０００１】
【発明の属する技術分野】
本発明は、例えば、車両に搭載される表示装置の計器に関する。
【０００２】
【従来の技術】
従来、この種の計器としては、目盛盤の表面側に導光部材を設け、第１光源の光を導光部材に照射することにより、導光部材を発光させると共に、目盛盤の表面側から目盛盤の目盛部を照明し、更に、第２光源の光を目盛盤の裏面から照射して目盛盤を透過照明することにより斬新な見栄えを実現しているものがある（例えば、特許文献１参照）。
【０００３】
【特許文献１】
特開２００２−５６９７号公報
【０００４】
【発明が解決しようとする課題】
しかし、上記表示装置では、異なる複数の光源や導光部材が必要なことから、構成が複雑で、表示装置のコストが高価になるといった問題がある。
【０００５】
そこで、本発明は、このようなことに対処するため、光源遮光部に工夫を凝らし、同一の光源により斬新な見栄えの計器を提供することを目的とする。
【０００６】
【課題を解決するための手段】
上記目的を達成するため、請求項１に記載の発明では、光源（２０）と、光源（２０）の光により盤面発光する盤面発光部（１１ｂ）と、盤面発光部（１１ｂ）の周囲に表面側に突出して形成された突出部（１２）と、突出部（１２）に設けられ、光源（２０）の光により透過照明されて目盛部を構成する複数の透過部（１２ｃ、１２ｄ）と、複数の透過部（１２ｃ、１２ｄ）間に形成され、光源（２０）の光を遮光すると共に、盤面発光部（１１ｂ）の盤面発光により表面側から照明される第１の遮光部（１３ａ、１３ｂ）と、を備えたことを特徴としている。
【０００７】
これにより、光源（２０）の光により、盤面発光部（１１ｂ）の盤面発光および目盛部を構成する複数の透過部（１２ｃ、１２ｄ）の透過照明を行い、更に、盤面発光部（１１ｂ）の盤面発光により第１の遮光部（１３ａ、１３ｂ）の照明を行うので、同一の光源（２０）の光により、突出部（１２）の立体が表現され、斬新な見栄えの計器を提供することができる。
【０００８】
また、請求項２に記載の発明のように、突出部（１２）の複数の透過部（１２ｃ、１２ｄ）の盤面発光部（１１ｂ）側に光源（２０）の光を遮光する第２の遮光部（１３ｃ）を有することで、突出部（１２）の複数の透過部（１２ｃ、１２ｄ）と盤面発光部（１１ｂ）が別々に視認され、装飾性を向上することができる。
【０００９】
また、請求項３に記載の発明のように、第１の遮光部（１３ａ、１３ｂ）および第２の遮光部（１３ｃ）は、金属色塗料の塗装により形成されているので、盤面発光部（１１ｂ）の盤面発光の光が第１の遮光部（１３ａ、１３ｂ）に反射して突出部（１２）の立体表現がより強調される。
【００１０】
なお、上記各手段の括弧内の符号は、後述する実施形態に記載の具体的手段との対応関係を示すものである。
【００１１】
【発明の実施の形態】
本発明の一実施形態に係る計器を自動車用車速計に適用した場合の構成を図１、図２に示す。図１は、車速計の正面図、図２は図１におけるＡ−Ａ断面図である。
【００１２】
図１、図２において、目盛盤１０は透明のポリカーボネート樹脂製で、略円形状の平面部１１およびこの平面部１１の周囲に表面側（運転席側）に突出した突出部（立体部）１２が圧空成形により一体成形されている。
【００１３】
平面部１１には、図１に示すように円弧状に盤面発光部１１ｂが形成され、平面部１１の略中央には、車速の単位を示す文字１１ｄが形成されている。
【００１４】
図３は、車速計の正面から見た外観図で、盤面発光部１１ｂおよび車速の単位を示す文字１１ｄは、緑色塗料が印刷塗布されて半透明となっている。
【００１５】
盤面発光部１１ｂ上には、更に、黒色塗料の印刷塗布をもって形成された車速表示用の数字１１ａが設けられており、また、図３の網掛け部１１ｃには、黒色塗料が印刷塗布されている。
【００１６】
突出部１２には、２つの斜面、すなわち内周側斜面部１２ａと外周側斜面部１２ｂが形成されている。
【００１７】
内周側斜面部１２ａには、図１に示すように目盛部を構成する複数の透過部１２ｃが設けられ、これらの透過部１２ｃ間にはシルバーの金属色塗料の印刷塗布をもって形成された遮光部１３ａが設けられている。
【００１８】
外周側斜面部１２ｂには、内周側斜面部１２ａに設けられた透過部１２ｃよりも狭い間隔で、目盛部を構成する複数の透過部１２ｄが設けられ、これらの透過部１２ｄ間には、シルバーの金属色塗料の印刷塗布をもって形成された遮光部１３ｂが設けられている。
【００１９】
図４は、図３に示した計器外観図のＢ部拡大図で、内周側斜面部１２ａの透過部１２ｃおよび外周側斜面部１２ｂの透過部１２ｄは、緑色塗料が印刷塗布されて半透明となっている。
【００２０】
また、内周側斜面部１２ａの遮光部１３ａおよび外周側斜面部１２ｂの遮光部１３ｂには、シルバーの金属色塗料が塗布され、後述する光源２０の光を遮光する。
【００２１】
また、図４に示すように、内周側斜面部１２ａの透過部１２ｃの平面部１１側にもシルバーの金属色塗料の塗布により遮光部１３ｃが形成され、この遮光部１３ｃにより、透過部１２ｃと盤面発光部１１ｂが別々に視認されるように構成されている。
【００２２】
なお、外周側斜面部１２ｂの周囲は、平面部１１と同一平面となっており、表面側に遮光部１４ａが黒色塗料の印刷塗布により形成されている。
【００２３】
目盛盤１０の裏面側には、目盛盤１０と所定間隔離れた位置にプリント配線板４０が取り付けられており、このプリント配線板４０の目盛盤１０側には、盤面発光部１１ｂに沿って発光ダイオードからなる複数の光源２０が配置されている。
【００２４】
また、目盛盤１０の突出部１２および平面部１１の盤面発光部１１ｂ間には、光源２０の光を乱反射する拡散板５０が設けられている。
【００２５】
また、プリント配線板４０の裏面側には、図示しない回転内機が配設され、この回転内機の指針軸に指針３０が取り付けられている。
【００２６】
上記した構成において、光源２０の点灯により、光源２０の光が目盛盤１０の裏面側から照射されると、光源２０の光が拡散板５０により乱反射して半透明の盤面発光部１１ｂは盤面発光する。すなわち、光源２０の点灯により、盤面発光部１１ｂの全体がぼんやりと光る。そして、この盤面発光の光により内周側斜面部１２ａの遮光部１３ａを目盛盤１０の表面側から照射して突出部１２の立体が表現される。
【００２７】
また、盤面発光部１１ｂ上に形成された車速表示用の数字１１ａおよび図３の網掛け部１１ｃは、黒色塗料の印刷塗布により形成されているため光源２０の光を遮光する。
【００２８】
また、平面部１１の車速の単位を示す文字１１ｄ、目盛部を構成する内周側斜面部１２ａの透過部１２ｃおよび外周側斜面部１２ｂの透過部１２ｄは、いずれも緑色塗料が塗布されて半透明となっており、光源２０の光により透過照明される。また、内周側斜面部１２ａに形成された遮光部１３ａ、１３ｃおよび外周側斜面部１２ｂに形成された遮光部１３ｂにより、光源２０の光が遮光される。そして、複数の透過部１２ｃ、１２ｄが目盛部として表示される。
【００２９】
上記したように、光源２０の光により、平面部１１における盤面発光部１１ｂの盤面発光および目盛部を構成する複数の透過部１２ｃ、１２ｄの透過照明を行い、更に、盤面発光部１１ｂの盤面発光により目盛盤１０の表面側から突出部１２の遮光部１３ａへの照明を行い、突出部１２の立体を表現している。
【００３０】
また、突出部１２の複数の透過部１２ｃ、１２ｄの盤面発光部１１ｂ側に光源２０の光を遮光する第２の遮光部１３ｃを有することで、突出部１２の複数の透過部１２ｃ、１２ｄと盤面発光部１１ｂとが別々に視認され、装飾性を向上することができる。
【００３１】
また、内周側斜面部１２ａに形成された遮光部１３ａ、１３ｃおよび外周側斜面部１２ｂに形成された遮光部１３ｂには金属色塗料が塗布されているため、盤面発光部１１ｂからの盤面発光が遮光部１３ａに反射して突出部１２の立体表現がより強調される。
【００３２】
また、目盛盤１０は、平面部１１および突出部１２が圧空成形により一体成形されるため、簡素な構成で低コストを実現し得る。
【００３３】
なお、上記実施形態では、平面部１１と突出部１２が圧空成形により一体で成形された例について示したが、例えば、図５に示すようにアクリル性樹脂により断面が略三角形状の突出部１２を略リング状に形成し、この突出部１２に金属色塗料を塗布して遮光部１３ａ〜１３ｃを形成して平面状の平面部１１の表面側に配設するように、平面部１０と突出部１２を別部材で構成してもよい。
【００３４】
また、上記実施形態における遮光部１３ａ〜１３ｃは、金属色塗料の塗布により形成された例について示したが、金属色塗料に限ることなく、要するに光源２０の光を遮光するものであればよい。
【００３５】
光源２０として、発光ダイオード用いた例について示したが、発光ダイオードに限ることなく、例えば蛍光管を用いてもよい。
【図面の簡単な説明】
【図１】本発明における計器の正面図である。
【図２】本発明における計器の断面図である。
【図３】本発明における計器の正面から見た外観図でである。
【図４】図３のＢ部拡大図である。
【図５】本発明における計器の変形態様を示す図である。
【符号の説明】
１０…目盛盤、１１…平面部、１１ａ…数字、１１ｂ…盤面発光部、
１２…突出部、１２ａ…内周側斜面部、１２ｂ…外周側斜面部、
１２ｃ、１２ｄ…透過部、１３ａ〜１３ｃ…遮光部、２０…光源、
３０…指針、４０…プリント配線板、５０…拡散板。
【図１】
2004198241.tif 000003
【図２】
2004198241.tif 000004
【図３】
2004198241.tif 000005
【図４】
2004198241.tif 000006
【図５】
2004198241.tif 000007